(57)【要約】【課題】操作利便性を確保しつつ、高画質の画像をアップロードする。【解決手段】画像を格納する画像格納手段と、画像格納手段に格納された画像について情報量を減らすよう制御する制御手段と、制御手段によって情報量が減らされたリサイズ画像を送信する送信手段と、を備える画像記憶装置１００と、送信手段によって送信されたリサイズ画像を受信する受信手段と、受信手段によって受信したリサイズ画像を表示手段に表示させる表示制御手段と、表示手段に表示されたリサイズ画像に対応する画像の、外部ネットワークを介した外部格納手段への送信指示を検出する送信指示検出手段と、送信指示検出手段によって検出された送信指示を画像記憶装置に送信することで、画像を、自身を中継することなく画像記憶装置から外部格納手段へ送信するよう制御する送信制御手段と、を備える表示装置２００と、を含む。【選択図】図１
2016048870.tif 000002
【特許請求の範囲】
【請求項１】
画像を格納する画像格納手段と、
前記画像格納手段に格納された前記画像について情報量を減らすよう制御する制御手段と、
前記制御手段によって情報量が減らされたリサイズ画像を送信する送信手段と、
を備える画像記憶装置と、
前記送信手段によって送信されたリサイズ画像を受信する受信手段と、
前記受信手段によって受信した前記リサイズ画像を表示手段に表示させる表示制御手段と、
前記表示手段に表示された前記リサイズ画像に対応する前記画像の、外部ネットワークを介した外部格納手段への送信指示を検出する送信指示検出手段と、
前記送信指示検出手段によって検出された前記送信指示を前記画像記憶装置に送信することで、前記画像を、自身を中継することなく前記画像記憶装置から前記外部格納手段へ送信するよう制御する送信制御手段と、
を備える表示装置と、
を含むことを特徴とする画像送信システム。
【請求項２】
画像を格納する画像格納手段と、
前記画像格納手段に格納された前記画像について情報量を減らすよう制御する制御手段と、
前記制御手段によって情報量が減らされたリサイズ画像を送信する第１の送信手段と、
前記第１の送信手段によって送信された前記リサイズ画像に対応する前記画像の、外部ネットワークを介した外部格納手段への送信指示を装置外部から受信することにより検出する指示検出手段と、
前記指示検出手段によって検出された前記送信指示に基づいて、前記画像を、前記送信指示を送信した装置外部の機器を中継することなく、前記外部格納手段へ送信するよう制御する第２の送信手段と、
を備えることを特徴とする画像記憶装置。
【請求項３】
前記外部ネットワークを介した前記外部格納手段のログイン情報を格納するログイン情報格納手段を更に備え、
前記第２の送信手段によって前記画像を前記外部格納手段へ送信する際に、前記ログイン情報を前記ログイン情報格納手段から読み出して送信する
ことを特徴とする請求項２に記載の画像記憶装置。
【請求項４】
撮像手段を更に備える
ことを特徴とする請求項２または請求項３に記載の画像記憶装置。
【請求項５】
前記送信指示に含まれる前記編集加工履歴に沿って前記送信対象となる画像に編集加工処理を施す編集加工処理再現手段を更に備え、
前記第２の送信手段は、前記編集加工処理再現手段によって編集加工処理が施された画像を、前記外部ネットワークを介した前記外部格納手段に送信する
ことを特徴とする請求項２乃至請求項４のいずれか１項に記載の画像記憶装置。
【請求項６】
外部の画像記憶装置に格納されている画像のリサイズ画像を受信する受信手段と、
前記受信手段によって受信した前記リサイズ画像を表示手段に表示させる表示制御手段と、
前記表示手段に表示された前記リサイズ画像に対応する前記画像の、外部ネットワークを介した外部格納手段への送信指示を検出する送信指示検出手段と、
前記送信指示検出手段によって検出された前記送信指示を前記画像記憶装置に送信することで、前記画像を、自身を中継することなく前記画像記憶装置から前記外部格納手段へ送信するよう制御する送信制御手段と、
を備えることを特徴とする表示装置。
【請求項７】
前記表示制御手段は、前記表示手段に複数の前記リサイズ画像を表示させ、
複数の前記リサイズ画像から前記外部格納手段への送信対象となる画像のリサイズ画像の選択を検出する選択検出手段を更に備える
ことを特徴とする請求項６に記載の表示装置。
【請求項８】
前記外部ネットワークを介した前記外部格納手段のログイン情報を格納するログイン情報格納手段を更に備え、
前記送信制御手段による送信指示の送信の際に、前記ログイン情報を前記ログイン情報格納手段から読み出して前記画像記憶装置に送信する
ことを特徴とする請求項６または請求項７に記載の表示装置。
【請求項９】
前記リサイズ画像に加工処理を施す加工処理手段と、
前記リサイズ画像に施された加工処理の処理履歴を記録する処理履歴記録手段と、
を更に備え、
前記送信制御手段は、前記送信指示に前記処理履歴を更に含ませて前記画像記憶装置に送信することを特徴とする請求項６乃至請求項８のいずれか１項に記載の表示装置。
【請求項１０】
画像記憶装置が有するコンピュータを、
画像格納手段に格納された前記画像について情報量を減らすよう制御する制御手段、
前記制御手段によって情報量が減らされたリサイズ画像を送信する第１の送信手段、
前記第１の送信手段によって送信された前記リサイズ画像に対応する前記画像の、外部ネットワークを介した外部格納手段への送信指示を装置外部から受信することにより検出する指示検出手段、
前記指示検出手段によって検出された前記送信指示に基づいて、前記画像を、前記送信指示を送信した装置外部の機器を中継することなく、前記外部格納手段へ送信するよう制御する第２の送信手段、
として機能させることを特徴とするプログラム。
【請求項１１】
表示装置が有するコンピュータを、
画像格納装置から送信された、情報量が減らされたリサイズ画像を受信する受信手段、
前記受信手段によって受信した前記リサイズ画像を表示手段に表示させる表示制御手段、
前記表示手段に表示された前記リサイズ画像に対応する前記画像の、外部ネットワークを介した外部格納手段への送信指示を検出する送信指示検出手段、
前記送信指示検出手段によって検出された前記送信指示を前記画像記憶装置に送信することで、前記画像を、自身を中継することなく前記画像記憶装置から前記外部格納手段へ送信するよう制御する送信制御手段、
として機能させることを特徴とするプログラム。
【発明の詳細な説明】
【技術分野】
【０００１】
本発明は、画像送信システム、画像記憶装置、表示装置およびプログラムに関する。
【背景技術】
【０００２】
従来より、デジタルカメラに格納された撮影画像をネットワーク上のサーバにアップロード（画像送信）する技術が知られている。このようなアップロードに際し、スマートフォン等の無線通信機器を中継局として、撮影画像をアップロードする技術が知られている。
【０００３】
例えば、特許文献１（特開２０１２−３４１４０号公報）には、通信装置が中継装置に接続し、前記中継装置を介して接続するサーバ装置にデータを送信する無線通信システムであって、前記通信装置および前記中継装置は、前記サーバ装置とのアクセス処理を実行するためのアクセス機能を前記通信装置が保持しているか、前記中継装置が保持しているかを判定する判定手段と、前記判定手段による判定結果に応じて、前記アクセス機能を保持している装置のアクセス処理手段に前記アクセス処理を実行させて、前記データを送信するための送信方法を決定する決定手段と、前記決定手段で決定された前記送信方法により前記データを送信する送信手段と、を有することを特徴とする無線通信システムが開示されている（請求項２１参照）。
【先行技術文献】
【特許文献】
【０００４】
【特許文献１】特開２０１２−３４１４０号公報
【発明の概要】
【発明が解決しようとする課題】
【０００５】
近年、デジタルカメラに搭載される撮像素子の大型化や、デジタルカメラに格納される撮影画像の非圧縮化により、撮像画像のデータ容量は増大してきている。また、サーバにアップロードされた撮影画像を表示する装置（例えば、パーソナルコンピュータ）においても、より高画質・高精細の画像を再現表示することが可能となっている。
【０００６】
一方、デジタルカメラは、スマートフォンの表示処理能力を考慮して、リサイズされた画像をスマートフォンに送信するようになっている。このため、特にスマートフォンを経由してネットワーク上のサーバにアップロードされた画像については画質に限界があり、高解像のディスプレイに表示する際には見劣りするのが避けられないという問題がある。
【０００７】
そこで、本発明は、操作利便性を確保しつつ、高画質の画像をアップロードすることが可能な画像送信システム、画像記憶装置、表示装置およびプログラムを提供することを目的とする。
【課題を解決するための手段】
【０００８】
本発明は、上記目的を達成するため、
画像を格納する画像格納手段と、
前記画像格納手段に格納された前記画像について情報量を減らすよう制御する制御手段と、
前記制御手段によって情報量が減らされたリサイズ画像を送信する送信手段と、
を備える画像記憶装置と、
前記送信手段によって送信されたリサイズ画像を受信する受信手段と、
前記受信手段によって受信した前記リサイズ画像を表示手段に表示させる表示制御手段と、
前記表示手段に表示された前記リサイズ画像に対応する前記画像の、外部ネットワークを介した外部格納手段への送信指示を検出する送信指示検出手段と、
前記送信指示検出手段によって検出された前記送信指示を前記画像記憶装置に送信することで、前記画像を、自身を中継することなく前記画像記憶装置から前記外部格納手段へ送信するよう制御する送信制御手段と、
を備える表示装置と、
を含むことを特徴とする画像送信システムである。
【０００９】
また、本発明は、
画像を格納する画像格納手段と、
前記画像格納手段に格納された前記画像について情報量を減らすよう制御する制御手段と、
前記制御手段によって情報量が減らされたリサイズ画像を送信する第１の送信手段と、
前記第１の送信手段によって送信された前記リサイズ画像に対応する前記画像の、外部ネットワークを介した外部格納手段への送信指示を装置外部から受信することにより検出する指示検出手段と、
前記指示検出手段によって検出された前記送信指示に基づいて、前記画像を、前記送信指示を送信した装置外部の機器を中継することなく、前記外部格納手段へ送信するよう制御する第２の送信手段と、
を備えることを特徴とする画像記憶装置である。
【００１０】
また、本発明は、
外部の画像記憶装置に格納されている画像のリサイズ画像を受信する受信手段と、
前記受信手段によって受信した前記リサイズ画像を表示手段に表示させる表示制御手段と、
前記表示手段に表示された前記リサイズ画像に対応する前記画像の、外部ネットワークを介した外部格納手段への送信指示を検出する送信指示検出手段と、
前記送信指示検出手段によって検出された前記送信指示を前記画像記憶装置に送信することで、前記画像を、自身を中継することなく前記画像記憶装置から前記外部格納手段へ送信するよう制御する送信制御手段と、
を備えることを特徴とする表示装置である。
【００１１】
また、本発明は、
画像記憶装置が有するコンピュータを、
画像格納手段に格納された前記画像について情報量を減らすよう制御する制御手段、
前記制御手段によって情報量が減らされたリサイズ画像を送信する第１の送信手段、
前記第１の送信手段によって送信された前記リサイズ画像に対応する前記画像の、外部ネットワークを介した外部格納手段への送信指示を装置外部から受信することにより検出する指示検出手段、
前記指示検出手段によって検出された前記送信指示に基づいて、前記画像を、前記送信指示を送信した装置外部の機器を中継することなく、前記外部格納手段へ送信するよう制御する第２の送信手段、
として機能させることを特徴とするプログラムである。
【００１２】
また、本発明は、
表示装置が有するコンピュータを、
画像格納装置から送信された、情報量が減らされたリサイズ画像を受信する受信手段、
前記受信手段によって受信した前記リサイズ画像を表示手段に表示させる表示制御手段、
前記表示手段に表示された前記リサイズ画像に対応する前記画像の、外部ネットワークを介した外部格納手段への送信指示を検出する送信指示検出手段、
前記送信指示検出手段によって検出された前記送信指示を前記画像記憶装置に送信することで、前記画像を、自身を中継することなく前記画像記憶装置から前記外部格納手段へ送信するよう制御する送信制御手段、
として機能させることを特徴とするプログラムである。
【発明の効果】
【００１３】
本発明によれば、操作利便性を確保しつつ、高画質の画像をアップロードすることが可能な画像送信システム、画像記憶装置、表示装置およびプログラムを提供することができる。
【図面の簡単な説明】
【００１４】
【図１】本実施形態に係る画像送信システムの構成模式図である。
【図２】画像記憶装置の構成ブロック図である。
【図３】画像記憶装置の機能ブロック図である。
【図４】表示装置の構成ブロック図である。
【図５】表示装置の機能ブロック図である。
【図６】表示装置の画像送信処理における動作フローである。
【図７】画像記憶装置の画像送信処理における動作フローである。
【発明を実施するための形態】
【００１５】
以下、本発明を実施するための形態（以下「実施形態」という）について、適宜図面を参照しながら詳細に説明する。なお、各図において、共通する部分には同一の符号を付し重複した説明を省略する。
【００１６】
≪画像送信システムＳ≫
本実施形態に係る画像送信システムＳについて、図１を用いて説明する。図１は、本実施形態に係る画像送信システムＳの構成模式図である。
【００１７】
図１に示すように、本実施形態に係る画像送信システムＳは、例えばデジタルカメラなどの画像記憶装置１００と、例えばスマートフォンなどの表示装置２００と、で構成されており、使用者（画像送信者）が表示装置２００を操作することにより、画像記憶装置１００は、表示装置２００を中継局として中継することなく、自装置に記憶されている画像（後述する「元画像」および／または「加工済高画質画像」）をアクセスポイント３１０を介して、ネットワーク３００上のデータサーバ３２０に直接的に送信（アップロード）することができるようになっている。
【００１８】
なお、他の者（画像閲覧者）がネットワーク３００に接続されたＰＣ３３０を操作してデータサーバ３２０にアクセスすることにより、データサーバ３２０にアップロードされた画像（後述する「元画像」および／または「加工済高画質画像」）をＰＣ３３０の表示部３３１に表示させることができるようになっている。
【００１９】
≪画像記憶装置１００≫
次に、本実施形態に係る画像送信システムＳを構成する画像記憶装置１００について、図２および図３を用いて説明する。図２は、画像記憶装置１００の構成ブロック図である。なお、以下の説明において、画像記憶装置１００はデジタルカメラとして構成されるものとして説明する。
【００２０】
図２に示すように、画像記憶装置１００は、制御部であるＣＰＵ（Central Processing Unit）１０１と、ＲＯＭ（Read Only Memory）１０２と、ＲＡＭ（Random Access Memory）１０３と、画像処理部１０４と、バス１０５と、入出力インターフェース１０６と、撮像部１０７と、入力部１０８と、表示部１０９と、記憶部１１０と、通信部１１１と、リムーバブルメディア１５０を装着するドライブ１１２と、を備えている。
【００２１】
ＣＰＵ１０１は、ＲＯＭ１０２に記録されているプログラム、または、記憶部１１０やドライブ１１２に装着されたリムーバブルメディア１５０からＲＡＭ１０３にロードされたプログラム（アプリケーションソフト）に従って各種の処理を実行する。また、ＲＡＭ１０３には、ＣＰＵ１０１が各種の処理を実行する上において必要なデータ等も適宜記憶される。
【００２２】
画像処理部１０４は、ＤＳＰ（Digital Signal Processor）、ＶＲＡＭ（Video Random Access Memory）等から構成されており、各種画像処理（編集加工処理）をハードウェアで処理する。これにより、高負荷となる画像処理からＣＰＵ１０１を解放するとともに、ソフトウェアで画像処理する場合と比較して、消費電力を削減することができる。
【００２３】
ＣＰＵ１０１、ＲＯＭ１０２、ＲＡＭ１０３および画像処理部１０４は、バス１０５を介して、相互に接続されている。また、バス１０５には、入出力インターフェース１０６が接続されている。入出力インターフェース１０６には、撮像部１０７、入力部１０８、表示部１０９、記憶部１１０、通信部１１１およびドライブ１１２が接続されている。
【００２４】
撮像部１０７は、光学レンズ部（図示せず）と、イメージセンサ（図示せず）と、レンズ駆動部（図示せず）とで構成されており、画像を撮影することができる。なお、撮像部１０７で撮影された画像データは、記憶部１１０や、ドライブ１１２に装着されたリムーバブルメディア１５０に格納される。
【００２５】
入力部１０８は、シャッタボタンを含む各種ボタン等で構成され、使用者の指示操作に応じて各種情報を入力する。
【００２６】
表示部１０９は、ディスプレイ等で構成され、画像等を出力（表示）する。
【００２７】
記憶部１１０は、フラッシュメモリ、ｅＭＭＣ（embedded MultiMediaCard）、ＤＲＡＭ（Dynamic Random Access Memory）等で構成され、各種画像データを格納することができる。
【００２８】
通信部１１１は、他の機器と通信を確立し、データ通信することができる。具体的には、通信部１１１は、表示装置２００の通信部２１１（後述する図４参照）と通信を確立することにより、画像記憶装置１００と表示装置２００との間でデータ通信することができる。表示装置２００との通信には、例えば、無線ＬＡＮ（Local Area Network）（Wi-Fi Direct（登録商標））やBluetooth（登録商標）を用いることができる。また、通信部１１１は、アクセスポイント３１０との通信を確立することにより、ネットワーク３００を介して、画像記憶装置１００とデータサーバ３２０との間でデータ通信することができる。アクセスポイント３１０との通信には、例えば、無線ＬＡＮ（公衆無線ＬＡＮ、Wi-Fi（登録商標））を用いることができる。
【００２９】
ドライブ１１２には、磁気ディスク、光ディスク、光磁気ディスク、半導体メモリ等よりなるリムーバブルメディア１５０が適宜装着される。リムーバブルメディア１５０は、記憶部１１０と同様に、各種画像データを格納することができる。
【００３０】
次に、画像記憶装置１００における画像送信処理を実行するための機能的構成について図３を用いて説明する。図３は、画像記憶装置１００の機能ブロック図である。
【００３１】
図３に示すように、画像送信処理に係るアプリケーションプログラムを実行することにより、ＣＰＵ１０１において、リサイズ処理部１２１と、識別情報付与部１２２と、元画像特定部１２３と、編集加工処理再現部１２４と、が機能する。また、通信部１１１において、リサイズ画像送信部１３１と、アップロード指示受信部１３２と、画像アップロード部１３３と、が機能する。
また、記憶部１１０および／またはリムーバブルメディア１５０には、一領域として、画像格納部１４１が設けられる。なお、図３において、破線で示すログイン情報格納部１４３については後述する。
【００３２】
リサイズ処理部１２１は、画像処理部１０４と協働して、画像格納部１４１に格納されている画像（以下、「元画像」と称する。）について、サイズ縮小（リサイズ）、所定の画像領域の切り出し、色数を少なくさせる等、その画像の情報量を減らす機能を有する。
なお、本実施形態においては、上記の処理をリサイズ処理と定義し、また、そのような処理を施した画像をリサイズ画像と定義する。
【００３３】
識別情報付与部１２２は、リサイズ画像に元画像と１対１に対応する情報（以下、「画像識別情報」と称する。）を付与する機能を有する。なお、画像識別情報の詳細については、後述する。
【００３４】
元画像特定部１２３は、アップロード指示受信部１３２で受信したアップロード指示に含まれる画像識別情報から対応する元画像を特定する機能を有する。なお、アップロード指示の詳細については、後述する。
【００３５】
編集加工処理再現部１２４は、画像処理部１０４と協働して、元画像特定部１２３で特定された元画像に、アップロード指示受信部１３２で受信したアップロード指示に含まれる編集加工履歴に沿って編集加工処理を施す（再現する）機能を有する。なお、編集加工履歴の詳細については、後述する。
【００３６】
リサイズ画像送信部１３１は、リサイズ処理部１２１で生成されたリサイズ画像を表示装置２００に送信する機能を有する。
【００３７】
アップロード指示受信部１３２は、表示装置２００からアップロード指示を受信する機能を有する。
【００３８】
画像アップロード部１３３は、アップロード指示に含まれるログイン情報に基づいてデータサーバ３２０にログインし画像をアップロード（送信）する機能を有する。なお、ログイン情報の詳細については、後述する。
【００３９】
画像格納部１４１は、画像（元画像）を格納する機能を有する。元画像としては、撮像部１０７で撮影された画像などがある。
【００４０】
≪表示装置２００≫
次に、本実施形態に係る画像送信システムＳを構成する表示装置２００について、図４および図５を用いて説明する。図４は、表示装置２００の構成ブロック図である。なお、以下の説明において、表示装置２００はスマートフォンとして構成されるものとして説明する。
【００４１】
図４に示すように、表示装置２００は、制御部であるＣＰＵ２０１と、ＲＯＭ２０２と、ＲＡＭ２０３と、バス２０５と、入出力インターフェース２０６と、入力部２０８と、表示部２０９と、記憶部２１０と、通信部２１１と、移動体通信部２１３と、を備えている。
【００４２】
ＣＰＵ２０１は、ＲＯＭ２０２に記録されているプログラム（アプリケーションソフト）、または、記憶部２１０からＲＡＭ２０３にロードされたプログラム（アプリケーションソフト）に従って各種の処理を実行する。また、ＲＡＭ２０３には、ＣＰＵ２０１が各種の処理を実行する上において必要なデータ等も適宜記憶される。
【００４３】
ＣＰＵ２０１、ＲＯＭ２０２およびＲＡＭ２０３は、バス２０５を介して、相互に接続されている。また、バス２０５には、入出力インターフェース２０６が接続されている。入出力インターフェース２０６には、入力部２０８、表示部２０９、記憶部２１０、通信部２１１および移動体通信部２１３が接続されている。
【００４４】
入力部２０８は、例えば、表示部２０９の前面に配置されたポインティングデバイスであるタッチパネルとして構成されており、使用者が表示部２０９に触れた位置等の入力操作を検出する。
【００４５】
表示部２０９は、ディスプレイ等で構成され、画像等を出力（表示）する。
【００４６】
記憶部２１０は、フラッシュメモリ、ｅＭＭＣ（embedded MultiMediaCard）、ＤＲＡＭ（Dynamic Random Access Memory）等で構成され、各種画像データを格納することができる。
【００４７】
通信部２１１は、他の機器と通信を確立し、データ通信することができる。具体的には、通信部２１１は、画像記憶装置１００の通信部１１１（図２参照）と通信を確立することにより、画像記憶装置１００と表示装置２００との間でデータ通信することができる。画像記憶装置１００との通信には、例えば、無線ＬＡＮ（Local Area Network）（Wi-Fi Direct（登録商標））やBluetooth（登録商標）を用いることができる。
【００４８】
移動体通信部２１３は、移動体通信回線（例えば、３Ｇ，ＬＴＥ等）を介して、ネットワーク３００と通信を確立し、データ通信することができる。
【００４９】
次に、表示装置２００における画像送信処理を実行するための機能的構成について図５を用いて説明する。図５は、表示装置２００の機能ブロック図である。
【００５０】
図５に示すように、画像送信処理に係るアプリケーションプログラムを実行することにより、ＣＰＵ２０１において、表示制御部２２１と、画像選択指示検出部２２２と、アップロード指示検出部２２３と、編集加工処理部２２４と、編集加工履歴記録部２２５と、が機能する。また、通信部２１１において、リサイズ画像受信部２３１と、アップロード指示送信部２３２と、が機能する。
また、記憶部２１０には、一領域として、画像格納部２４１と、編集加工履歴格納部２４２と、ログイン情報格納部２４３と、が設けられる。
【００５１】
表示制御部２２１は、表示部２０９の表示を制御する機能を有する。
【００５２】
画像選択指示検出部２２２は、入力部２０８のからの入力を監視して、画像選択指示操作がされたか否かを検出する機能を有する。なお、画像選択指示操作の詳細については、後述する。
【００５３】
アップロード指示検出部２２３は、入力部２０８のからの入力を監視して、アップロード指示操作がされたか否かを検出する機能を有する。なお、アップロード指示操作の詳細については、後述する。
【００５４】
編集加工処理部２２４は、入力部２０８のからの入力に基づいて、画像に編集加工処理を施す機能を有する。
【００５５】
編集加工履歴記録部２２５は、編集加工処理部２２４で画像に施された編集加工処理の履歴を編集加工履歴として編集加工履歴格納部２４２に記録する機能を有する。
【００５６】
リサイズ画像受信部２３１は、画像記憶装置１００からリサイズ画像を受信する機能を有する。
【００５７】
アップロード指示送信部２３２は、アップロード指示を表示装置２００に送信する機能を有する。
【００５８】
画像格納部２４１は、画像を格納する機能を有する。格納される画像としては、リサイズ画像受信部２３１で受信したリサイズ画像などがある。
【００５９】
編集加工履歴格納部２４２は、編集加工履歴記録部２２５で記録された編集加工履歴を格納する機能を有する。
【００６０】
ログイン情報格納部２４３は、ログイン情報を格納する機能を有する。なお、ログイン情報は、予め使用者により入力され、格納されているものとする。
【００６１】
≪画像送信処理≫
次に、本実施形態に係る画像送信システムＳの画像送信処理について、図６から図８を用いて説明する。なお、以下の説明において、画像記憶装置１００と表示装置２００との間でペアリング（通信確立）が済んでおり、表示装置２００は本アプリケーションソフトが起動されている状態であるものとする。
【００６２】
＜表示装置２００の動作フロー＞
まず、図６を用いて、表示装置２００の動作フローを説明する。図６は、本実施形態に係る画像送信システムＳが備える表示装置２００の画像送信処理における動作フローである。
【００６３】
ステップＳ１において、表示装置２００のＣＰＵ２０１は、画像送信指示操作が検出されたか否かを判定する。ここで、画像送信指示とは、画像記憶装置１００の画像格納部１４１に格納されている画像を表示装置２００側からの遠隔操作によって画像記憶装置１００から表示装置２００に送信させる指示であり、例えば、使用者が表示装置２００の入力部２０８を操作して所定の操作を入力する（例えば、表示部２０９に表示された画像送信指示を示すアイコンをタップする。）ことにより、画像送信指示操作が検出されたと判定する。なお、画像送信指示操作は、使用者の操作により入力されるものに限定されるものではなく、例えば、画像記憶装置１００と表示装置２００との間でペアリング（通信確立）が済んでおり、かつ、表示装置２００で本アプリケーションソフトが起動された際に、画像送信指示操作が検出されたと判定してもよい。
画像送信指示操作が検出された場合（Ｓ１・Ｙｅｓ）、ＣＰＵ２０１の処理はステップＳ２に進む。一方、画像送信指示操作が検出されていない場合（Ｓ１・Ｎｏ）、画像送信指示操作が検出されるまでＣＰＵ２０１の処理はステップＳ１を繰り返す。
【００６４】
ステップＳ２において、ＣＰＵ２０１は、通信部２１１を制御して、画像記憶装置１００（通信部１１１）に画像送信指示を送信する。
なお、図７を用いて後述するように、画像記憶装置１００は、画像送信指示を受信すると、画像格納部１４１に格納されている画像（元画像）からリサイズ処理された画像（リサイズ画像）を生成し、生成したリサイズ画像を表示装置２００に送信するようになっている。また、リサイズ画像には、元画像と１対１に対応する情報（画像識別情報）が付されている。これにより、リサイズ画像に付された画像識別情報から、そのリサイズ画像に対応する元画像を特定することが可能となっている。なお、リサイズ画像に画像識別情報を付す方法としては、リサイズ画像のファイル名を「元画像を特定可能な文字列（例えば、元画像のファイル名と同じ連番）を含む文字列」とすることにより画像識別情報をリサイズ画像に付してもよく、メタデータとしてリサイズ画像に画像識別情報を付してもよく、また、これらの方法に限定されるものではない。以下の説明においては、リサイズ画像のファイル名に画像識別情報が含まれているものとして説明する。
【００６５】
ステップＳ３において、ＣＰＵ２０１は、リサイズ画像受信部２３１でリサイズ画像の受信を検出したか否かを判定する。リサイズ画像の受信を検出した場合（Ｓ３・Ｙｅｓ）、ＣＰＵ２０１の処理はステップＳ４に進む。なお、受信したリサイズ画像は、表示装置２００の画像格納部２４１に格納される。一方、リサイズ画像の受信を検出していない場合（Ｓ３・Ｎｏ）、受信を検出するまでＣＰＵ２０１の処理はステップＳ３を繰り返す。
【００６６】
ステップＳ４において、ＣＰＵ２０１は、リサイズ画像を更にリサイズ処理してサムネイル画像を生成する。そして、ＣＰＵ２０１の表示制御部２２１は、表示装置２００の表示部２０９に所定のレイアウトでサムネイル画像を一覧表示させる。なお、生成したサムネイル画像は、表示装置２００の画像格納部２４１に格納される。
【００６７】
ステップＳ５において、ＣＰＵ２０１の画像選択指示検出部２２２は、画像選択指示操作が検出されたか否かを判定する。ここで、画像選択指示とは、データサーバ３２０にアップロードする画像（画像格納部１４１に格納されている元画像）を選択する指示であり、使用者が表示部２０９に一覧表示された複数のサムネイル画像からアップロードしたい画像（元画像）のサムネイル画像を選択する操作（例えば、表示部２０９に表示されたサムネイル画像をタップする。）を入力することにより、画像選択指示操作が検出されたと判定する。
画像選択指示操作が検出された場合（Ｓ５・Ｙｅｓ）、ＣＰＵ２０１の処理はステップＳ６に進む。一方、画像選択指示操作が検出されていない場合（Ｓ５・Ｎｏ）、ＣＰＵ２０１の処理はステップＳ４に戻る。
【００６８】
ステップＳ６において、ＣＰＵ２０１の表示制御部２２１は、表示装置２００の表示部２０９に選択された画像（タップされたサムネイル画像に対応するリサイズ画像）を拡大表示させる。
【００６９】
ステップＳ７において、ＣＰＵ２０１は、編集加工処理指示操作が検出されたか否かを判定する。ここで、編集加工処理指示とは、選択された画像に各種の編集加工処理（例えば、データサーバ３２０にアップロードする画像のサイズ指定、トーンカーブの調整、など）を施す指示であり、例えば、使用者が表示装置２００の入力部２０８を操作して所定の操作を入力することにより、編集加工処理指示操作が検出されたと判定する。
編集加工処理指示操作が検出された場合（Ｓ７・Ｙｅｓ）、ＣＰＵ２０１の処理はステップＳ８に進む。一方、編集加工処理指示操作が検出されていない場合（Ｓ７・Ｎｏ）、ＣＰＵ２０１の処理はステップＳ１０に進む。
【００７０】
ステップＳ８において、ＣＰＵ２０１の編集加工処理部２２４は、入力された編集加工処理指示に従って、リサイズ画像に編集加工処理を施した画像（加工済リサイズ画像）を生成する。そして、ＣＰＵ２０１の表示制御部２２１は、表示装置２００の表示部２０９に加工済リサイズ画像を拡大表示させる。なお、加工済リサイズ画像は、表示装置２００の画像格納部２４１に格納される。
【００７１】
ステップＳ９において、ＣＰＵ２０１の編集加工履歴記録部２２５は、編集加工履歴を編集加工履歴格納部２４２に格納する。
ここで、編集加工履歴には、そのリサイズ画像に施された編集加工処理の履歴が時系列で記憶されている。そして、ＣＰＵ２０１の処理はステップＳ７に戻る。
【００７２】
ステップＳ１０において、ＣＰＵ２０１のアップロード指示検出部２２３は、アップロード指示操作が検出されたか否かを判定する。ここで、アップロード指示とは、選択された画像（選択されたサムネイル画像（表示部２０９に表示されているリサイズ画像）に対応する画像格納部１４１に格納されている元画像）をデータサーバ３２０にアップロードする指示であり、例えば、使用者が表示装置２００の入力部２０８を操作して所定の操作を入力することにより、アップロード指示操作が検出されたと判定する。
アップロード指示操作が検出された場合（Ｓ１０・Ｙｅｓ）、ＣＰＵ２０１の処理はステップＳ１１に進む。一方、アップロード指示操作が検出されていない場合（Ｓ１０・Ｎｏ）、ＣＰＵ２０１の処理はステップＳ７に戻る。
【００７３】
ステップＳ１１において、ＣＰＵ２０１は、通信部２１１のアップロード指示送信部２３２を制御して、画像記憶装置１００（通信部１１１）にアップロード指示を送信する。ここで、アップロード指示には、選択された画像（リサイズ画像）の画像識別情報（ファイル名）と、選択された画像に施された編集加工処理の編集加工履歴と、データサーバ３２０に画像をアップロードするのに必要なログイン情報（ＵＲＬ、ログインＩＤ、ログインパスワード等）と、が含まれている。なお、選択された画像に編集加工処理が施されていない場合には、アップロード指示に編集加工履歴が含まれていなくてもよい。ちなみに、ログイン情報は、表示装置２００のログイン情報格納部２４３に予め格納されている。
なお、図７を用いて後述するように、画像記憶装置１００は、アップロード指示を受信すると、データサーバ３２０に画像をアップロードし、アップロード完了後にアップロード完了指示を表示装置２００に送信するようになっている。
【００７４】
ステップＳ１２において、ＣＰＵ２０１は、アップロード完了指示の受信を検出したか否かを判定する。アップロード完了指示の受信を検出した場合（Ｓ１２・Ｙｅｓ）、ＣＰＵ２０１の処理はステップＳ１３に進む。一方、アップロード完了指示の受信を検出していない場合（Ｓ１２・Ｎｏ）、受信を検出するまでＣＰＵ２０１の処理はステップＳ１２を繰り返す。
【００７５】
ステップＳ１３において、ＣＰＵ２０１は、選択された画像（リサイズ画像、加工済リサイズ画像）にアップロード済み情報を付す。なお、選択された画像にアップロード済み情報を付す方法としては、画像のファイル名にアップロード済みであることを示す特定の文字列を追加したり、ファイル名の一部を特定の文字列で置換したりすることによりアップロード済み情報を画像に付してもよく、メタデータとして画像にアップロード済み情報を付してもよく、また、これらの方法に限定されるものではない。そして、ＣＰＵ２０１の処理はステップＳ４に戻る。
【００７６】
以後、ステップＳ４におけるサムネイル画像の一覧表示において、アップロード済み情報を付されたリサイズ画像に対応するサムネイル画像には、アップロード済みであること示すアイコンが重畳表示される。また、ステップＳ６におけるリサイズ画像の拡大表示において、アップロード済み情報を付されたリサイズ画像には、アップロード済みであること示すアイコンが重畳表示される。これにより、データサーバ３２０にアップロード済みの画像であるか否かを容易に判別することができる。
【００７７】
＜画像記憶装置１００の動作フロー＞
次に、図７を用いて、画像記憶装置１００の動作フローを説明する。図７は、本実施形態に係る画像送信システムＳが備える画像記憶装置１００の画像送信処理における動作フローである。
【００７８】
ステップＳ２１において、画像記憶装置１００のＣＰＵ１０１は、画像送信指示の受信を検出したか否かを判定する。ちなみに、画像送信指示は、表示装置２００の動作フロー（図６参照）におけるステップＳ２において送信される。画像送信指示の受信を検出した場合（Ｓ２１・Ｙｅｓ）、ＣＰＵ１０１の処理はステップＳ２２に進む。一方、画像送信指示の受信を検出していない場合（Ｓ２１・Ｎｏ）、ＣＰＵ１０１の処理はステップＳ２４に進む。
【００７９】
ステップＳ２２において、ＣＰＵ１０１のリサイズ処理部１２１は、画像処理部１０４と協働して、画像格納部１４１に格納されている全ての画像（元画像）について、リサイズ処理された画像（リサイズ画像）を生成する。そして、ＣＰＵ１０１の識別情報付与部１２２は、リサイズ画像に元画像と１対１に対応する情報（画像識別情報）を付す。なお、リサイズ画像は、表示装置２００の表示部２０９の解像度、表示装置２００のＣＰＵ２０１の演算処理能力、通信部１１１−通信部２１１間の通信速度等を考慮してリサイズ処理された画像であり、元画像（高画質・大容量）よりも低画質・小容量となっている。
【００８０】
ステップＳ２３において、ＣＰＵ１０１は、通信部１１１のリサイズ画像送信部１３１を制御して、表示装置２００（通信部２１１）に全てのリサイズ画像を送信する。ちなみに、送信した全てのリサイズ画像は、表示装置２００の動作フロー（図６参照）におけるステップＳ３において受信される。そして、ＣＰＵ１０１の処理はステップＳ２１に戻る。
【００８１】
ステップＳ２４において、ＣＰＵ１０１は、アップロード指示受信部１３２でアップロード指示の受信を検出したか否かを判定する。ちなみに、アップロード指示は、表示装置２００の動作フロー（図６参照）におけるステップＳ１１において送信される。アップロード指示の受信を検出した場合（Ｓ２４・Ｙｅｓ）、ＣＰＵ１０１の処理はステップＳ２５に進む。一方、アップロード指示の受信を検出していない場合（Ｓ２４・Ｎｏ）、ＣＰＵ１０１の処理はステップＳ２１に戻る。
【００８２】
ステップＳ２５において、ＣＰＵ１０１の元画像特定部１２３は、受信したアップロード指示に含まれる画像識別情報（ファイル名）に基づいて、前述のステップＳ５で選択された画像の元画像を特定する。
【００８３】
ステップＳ２６において、ＣＰＵ１０１の編集加工処理再現部１２４は、画像処理部１０４と協働して、特定された元画像に、受信したアップロード指示に含まれる編集加工履歴に沿って編集加工処理を施す（再現する）。これにより、高画質の元画像に対して編集加工処理を施した加工済高画質画像を生成する。なお、加工済高画質画像は、画像記憶装置１００の画像格納部１４１に格納される。また、受信したアップロード指示に編集加工履歴が含まれていない場合、ＣＰＵ１０１の処理はステップＳ２６をスキップしてステップＳ２７に進む。
【００８４】
ステップＳ２７において、ＣＰＵ１０１は、通信部１１１の画像アップロード部１３３を制御して、ネットワーク３００（アクセスポイント３１０）との通信を確立し、受信したアップロード指示に含まれるログイン情報（ＵＲＬ、ログインＩＤ、ログインパスワード）に基づいてデータサーバ３２０にログインし、加工済高画質画像（編集加工履歴がない場合には特定された元画像）をアップロードする。
【００８５】
ステップＳ２８において、ＣＰＵ１０１は、加工済高画質画像（編集加工履歴がない場合には特定された元画像）にアップロード済み情報を付す。なお、画像にアップロード済み情報を付す方法としては、画像のファイル名にアップロード済みであることを示す特定の文字列を追加したり、ファイル名の一部を特定の文字列で置換したりすることによりアップロード済み情報を画像に付してもよく、メタデータとして画像にアップロード済み情報を付してもよく、また、これらの方法に限定されるものではない。
【００８６】
ステップＳ２９において、ＣＰＵ１０１は、通信部１１１を制御して、表示装置２００（通信部２１１）にアップロード完了指示を送信する。ちなみに、送信したアップロード完了指示は、表示装置２００の動作フロー（図６参照）におけるステップＳ１２において受信される。そして、ＣＰＵ１０１の処理はステップＳ２１に戻る。
【００８７】
≪動作例≫
次に、本実施形態に係る画像送信システムＳの画像送信処理における動作について図１を用いて説明する。
【００８８】
まず、表示装置２００は、画像記憶装置１００に画像送信指示を送信する（図６ステップＳ１，Ｓ２）。画像記憶装置１００は、画像送信指示を受信すると（図７ステップＳ２１・Ｙｅｓ）、画像格納部１４１に格納されている複数の元画像Ｇ１をリサイズ処理して複数のリサイズ画像Ｇ２を生成し（図７ステップＳ２２）、表示装置２００に送信する（図７ステップＳ２３）。
【００８９】
表示装置２００は、画像記憶装置１００から複数のリサイズ画像Ｇ３を受信する（図６ステップＳ３・Ｙｅｓ）。そして、使用者が表示装置２００を操作して、複数のリサイズ画像Ｇ３からデータサーバ３２０にアップロードする画像を選択し（図６ステップＳ５・Ｙｅｓ）、アップロード指示操作を入力すると（図６ステップＳ１０・Ｙｅｓ）、表示装置２００は画像記憶装置１００にアップロード指示を送信する（図６ステップＳ１１）。
【００９０】
画像記憶装置１００は、アップロード指示を受信すると（図７ステップＳ２４・Ｙｅｓ）、選択された画像の元画像（高画質画像）を特定して（図７ステップＳ２５）、画像記憶装置１００からダイレクトにネットワーク３００（アクセスポイント３１０）に接続し、データサーバ３２０に元画像Ｇ４をアップロードする（図７ステップＳ２７）。
【００９１】
このように、本実施形態に係る画像送信システムＳでは、データサーバ３２０に高画質の元画像Ｇ４をアップロードする。これにより、ＰＣ３３０の表示部３３１には、高画質の元画像Ｇ５が表示されることとなる。
【００９２】
≪作用・効果≫
以上のように、本実施形態に係る画像送信システムＳによれば、表示装置２００を操作することにより、画像記憶装置１００の記憶部１１０に格納された画像をデータサーバ３２０にアップロードすることができる。これにより、複数の無線装置を横断して操作することなく、１つの装置（表示装置２００）で操作を完結させることができ、操作利便性を確保することができる。また、一般的に、表示装置２００は、画像記憶装置１００の表示部１０９よりも大きな表示部２０９を有している。これにより、画像記憶装置１００の小さな表示部１０９で画像を選択してアップロードする場合と比較して、使用者の操作利便性を向上させることができる。
【００９３】
また、本実施形態に係る画像送信システムＳによれば、比較例に係る画像送信システムＳｃと比較して、高画質の画像（加工済高画質画像、元画像）をデータサーバ３２０にアップロードすることができる。これにより、大きな表示部３３１を有するＰＣ３３０での閲覧に耐えられる高画質の画像をデータサーバ３２０にアップロードすることができる。
【００９４】
また、画像記憶装置１００から表示装置２００に画像を送信する際、リサイズ画像を送信するようになっている。これにより、高画質の画像をそのまま送信する場合と比較して、通信部１１１−通信部２１１間の通信処理時間を短縮し、ＣＰＵ２０１の表示処理における負荷を低減することができるので、処理待ち時間を短縮して、使用者の操作利便性を向上させることができる。また、ＣＰＵ２０１の編集加工処理部２２４が画像に編集加工処理を施す際、本実施形態に係る画像送信システムＳではリサイズ画像に編集加工処理を施すため、高画質の画像をそのまま処理する場合と比較して、処理待ち時間を短縮して、使用者の操作利便性を向上させることができる。また、表示装置２００の消費電力を低減することができる。
【００９５】
一方で、表示装置２００でリサイズ画像に編集加工処理を施した場合、編集加工履歴を付してアップロード指示を画像記憶装置１００に送信するようになっている。そして、画像記憶装置１００のＣＰＵ１０１の編集加工処理再現部１２４が画像処理部１０４と協働して編集加工履歴に沿って特定された元画像に編集加工処理を施す（再現する）ようになっている。これにより、加工済高画質画像をデータサーバ３２０にアップロードすることができる。
【００９６】
≪変形例≫
なお、本実施形態に係る画像送信システムＳは、上記実施形態の構成に限定されるものではなく、発明の趣旨を逸脱しない範囲内で種々の変更が可能である。
【００９７】
図３に示すように、データサーバ３２０に画像をアップロードするのに必要なログイン情報（ＵＲＬ、ログインＩＤ、ログインパスワード等）は、表示装置２００の記憶部２１０に予め格納されているものとして説明したが、これに限定されるものではない。図５において破線で示すように、ログイン情報は、画像記憶装置１００の記憶部１１０のログイン情報格納部１４３に予め格納されていてもよい。
【００９８】
この場合、図６のステップＳ１１において、表示装置２００から画像記憶装置１００に送信されるアップロード指示には、選択された画像（リサイズ画像）の画像識別情報（ファイル名）と、選択された画像に施された編集加工処理の編集加工履歴と、が含まれている。なお、選択された画像に編集加工処理が施されていない場合には、アップロード指示に編集加工履歴が含まれていなくてもよい。
また、図７のステップＳ２７において、画像記憶装置１００のＣＰＵ１０１は、通信部１１１を制御して、ログイン情報格納部１４３に予め格納されているログイン情報に基づいてデータサーバ３２０にログインし、加工済高画質画像（編集加工履歴がない場合には特定された元画像）をアップロードする。
【００９９】
このようにログイン情報を画像記憶装置１００のログイン情報格納部１４３に格納する構成とすることにより、画像記憶装置１００と表示装置２００との間のデータ送信量を低減することができる。また、画像記憶装置１００と表示装置２００との間の送受信において、ログインＩＤやログインパスワードといった機密性の高い情報を無線でやり取りすることがないので、画像記憶装置１００と表示装置２００との間の通信をセキュリティレベルの低い通信を用いることが可能となる。
一方、本実施形態のようにログイン情報を表示装置２００の記憶部２１０に格納する構成とすることにより、使用者は表示装置２００を操作して、ログイン情報の入力、確認等が行えるので、操作利便性が向上する。
【０１００】
本実施形態において、画像送信システムＳの画像記憶装置１００は、デジタルカメラであるものとして説明したが、これに限定されるものではない。
例えば、画像記憶装置１００は、記憶部１１０としてｅＭＭＣ（embedded MultiMediaCard）、ＳＳＤ（Solid State Drive）、ＨＤＤ（Hard Disk Drive）などのデータストレージを有し、通信部１１１により外部の機器とデータの送受信が可能な「ワイヤレスストレージ」であってもよい。また、画像を格納する記憶部として機能する交換可能なメモリカード（リムーバブルメディア１５０）を装着可能なドライブ１１２を有し、通信部１１１により外部の機器とデータの送受信が可能な「ワイヤレスメモリカードリーダライタ」であってもよい。
【０１０１】
本実施形態において、画像送信システムＳの表示装置２００は、スマートフォンであるものとして説明したが、これに限定されるものではない。
例えば、パーソナルコンピュータ（ラップトップパソコン、ノートパソコン）、スレート型機器（タブレット型機器）、スマートテレビ、ＰＤＡ（Personal Digital Assistant）、電子辞書、ウェアラブル機器、等であってもよい。
【０１０２】
また、画像記憶装置１００と表示装置２００との通信接続方法は、無線ＬＡＮ（Wi-Fi Direct（登録商標））に限定されるものではなく、Bluetooth（登録商標）であってもよく、赤外線通信などの光無線通信であってもよい。
【０１０３】
また、本実施形態に係る画像送信システムＳは画像を送信するものであるが、この送信する画像は静止画に限定されるものではなく、動画であってもよい。
【０１０４】
図７のステップＳ２７において、画像記憶装置１００（通信部１１１）とネットワーク３００（アクセスポイント３１０）との通信の確立に失敗した場合、アップロードの失敗を示すアップロード失敗指示を表示装置２００に送信するようにしてもよい。また、アップロード失敗指示を送信する際、加工済高画質画像（編集加工履歴がない場合には特定された元画像）を表示装置２００に送信するようにしてもよい。この場合、アップロード失敗指示を受信した表示装置２００のＣＰＵ２０１は、移動体通信部２１３を制御して移動体通信回線（例えば、３Ｇ，ＬＴＥ等）を確立し、受信した加工済高画質画像をデータサーバ３２０にアップロードするようにしてもよい。
このような構成とすることにより、画像送信システムＳ（画像記憶装置１００、表示装置２００）の近くにアクセスポイント３１０がない場合であっても、通信距離の長い移動体通信回線を用いて画像をデータサーバ３２０にアップロードすることができる。
【０１０５】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
画像を格納する画像格納手段と、
前記画像格納手段に格納された前記画像について情報量を減らすよう制御する制御手段と、
前記制御手段によって情報量が減らされたリサイズ画像を送信する送信手段と、
を備える画像記憶装置と、
前記送信手段によって送信されたリサイズ画像を受信する受信手段と、
前記受信手段によって受信した前記リサイズ画像を表示手段に表示させる表示制御手段と、
前記表示手段に表示された前記リサイズ画像に対応する前記画像の、外部ネットワークを介した外部格納手段への送信指示を検出する送信指示検出手段と、
前記送信指示検出手段によって検出された前記送信指示を前記画像記憶装置に送信することで、前記画像を、自身を中継することなく前記画像記憶装置から前記外部格納手段へ送信するよう制御する送信制御手段と、
を備える表示装置と、
を含むことを特徴とする画像送信システム。
＜請求項２＞
画像を格納する画像格納手段と、
前記画像格納手段に格納された前記画像について情報量を減らすよう制御する制御手段と、
前記制御手段によって情報量が減らされたリサイズ画像を送信する第１の送信手段と、
前記第１の送信手段によって送信された前記リサイズ画像に対応する前記画像の、外部ネットワークを介した外部格納手段への送信指示を装置外部から受信することにより検出する指示検出手段と、
前記指示検出手段によって検出された前記送信指示に基づいて、前記画像を、前記送信指示を送信した装置外部の機器を中継することなく、前記外部格納手段へ送信するよう制御する第２の送信手段と、
を備えることを特徴とする画像記憶装置。
＜請求項３＞
前記外部ネットワークを介した前記外部格納手段のログイン情報を格納するログイン情報格納手段を更に備え、
前記第２の送信手段によって前記画像を前記外部格納手段へ送信する際に、前記ログイン情報を前記ログイン情報格納手段から読み出して送信する
ことを特徴とする請求項２に記載の画像記憶装置。
＜請求項４＞
撮像手段を更に備える
ことを特徴とする請求項２または請求項３に記載の画像記憶装置。
＜請求項５＞
前記送信指示に含まれる前記編集加工履歴に沿って前記送信対象となる画像に編集加工処理を施す編集加工処理再現手段を更に備え、
前記第２の送信手段は、前記編集加工処理再現手段によって編集加工処理が施された画像を、前記外部ネットワークを介した前記外部格納手段に送信する
ことを特徴とする請求項２乃至請求項４のいずれか１項に記載の画像記憶装置。
＜請求項６＞
外部の画像記憶装置に格納されている画像のリサイズ画像を受信する受信手段と、
前記受信手段によって受信した前記リサイズ画像を表示手段に表示させる表示制御手段と、
前記表示手段に表示された前記リサイズ画像に対応する前記画像の、外部ネットワークを介した外部格納手段への送信指示を検出する送信指示検出手段と、
前記送信指示検出手段によって検出された前記送信指示を前記画像記憶装置に送信することで、前記画像を、自身を中継することなく前記画像記憶装置から前記外部格納手段へ送信するよう制御する送信制御手段と、
を備えることを特徴とする表示装置。
＜請求項７＞
前記表示制御手段は、前記表示手段に複数の前記リサイズ画像を表示させ、
複数の前記リサイズ画像から前記外部格納手段への送信対象となる画像のリサイズ画像の選択を検出する選択検出手段を更に備える
ことを特徴とする請求項６に記載の表示装置。
＜請求項８＞
前記外部ネットワークを介した前記外部格納手段のログイン情報を格納するログイン情報格納手段を更に備え、
前記送信制御手段による送信指示の送信の際に、前記ログイン情報を前記ログイン情報格納手段から読み出して前記画像記憶装置に送信する
ことを特徴とする請求項６または請求項７に記載の表示装置。
＜請求項９＞
前記リサイズ画像に加工処理を施す加工処理手段と、
前記リサイズ画像に施された加工処理の処理履歴を記録する処理履歴記録手段と、
を更に備え、
前記送信制御手段は、前記送信指示に前記処理履歴を更に含ませて前記画像記憶装置に送信することを特徴とする請求項６乃至請求項８のいずれか１項に記載の表示装置。
＜請求項１０＞
画像記憶装置が有するコンピュータを、
画像格納手段に格納された前記画像について情報量を減らすよう制御する制御手段、
前記制御手段によって情報量が減らされたリサイズ画像を送信する第１の送信手段、
前記第１の送信手段によって送信された前記リサイズ画像に対応する前記画像の、外部ネットワークを介した外部格納手段への送信指示を装置外部から受信することにより検出する指示検出手段、
前記指示検出手段によって検出された前記送信指示に基づいて、前記画像を、前記送信指示を送信した装置外部の機器を中継することなく、前記外部格納手段へ送信するよう制御する第２の送信手段、
として機能させることを特徴とするプログラム。
＜請求項１１＞
表示装置が有するコンピュータを、
画像格納装置から送信された、情報量が減らされたリサイズ画像を受信する受信手段、
前記受信手段によって受信した前記リサイズ画像を表示手段に表示させる表示制御手段、
前記表示手段に表示された前記リサイズ画像に対応する前記画像の、外部ネットワークを介した外部格納手段への送信指示を検出する送信指示検出手段、
前記送信指示検出手段によって検出された前記送信指示を前記画像記憶装置に送信することで、前記画像を、自身を中継することなく前記画像記憶装置から前記外部格納手段へ送信するよう制御する送信制御手段、
として機能させることを特徴とするプログラム。
【符号の説明】
【０１０６】
Ｓ      画像送信システム
１００  画像記憶装置
１０１  ＣＰＵ
１０４  画像処理部
１０７  撮像部（撮像手段）
１１０  記憶部
１１１  通信部
１２１  リサイズ処理部（制御手段）
１２２  識別情報付与部
１２３  元画像特定部
１２４  編集加工処理再現部（編集加工処理再現手段）
１３１  リサイズ画像送信部（送信手段、第１の送信手段）
１３２  アップロード指示受信部（指示検出手段）
１３３  画像アップロード部（第２の送信手段）
１４１  画像格納部（画像格納手段）
１４３  ログイン情報格納部（ログイン情報格納手段）
２００  表示装置
２０１  ＣＰＵ
２０８  入力部
２０９  表示部（表示手段）
２１０  記憶部
２１１  通信部
２１３  移動体通信部
２２１  表示制御部（表示制御手段）
２２２  画像選択指示検出部（選択検出手段）
２２３  アップロード指示検出部（送信指示検出手段）
２２４  編集加工処理部（加工処理手段）
２２５  編集加工履歴記録部（処理履歴記録手段）
２３１  リサイズ画像受信部（受信手段）
２３２  アップロード指示送信部（送信制御手段）
２４１  画像格納部
２４２  編集加工履歴格納部
２４３  ログイン情報格納部（ログイン情報格納手段）
３００  ネットワーク（外部ネットワーク）
３１０  アクセスポイント
３２０  データサーバ（外部格納手段）
３３０  ＰＣ
３３１  表示部
【図１】
2016048870.tif 000003
【図２】
2016048870.tif 000004
【図３】
2016048870.tif 000005
【図４】
2016048870.tif 000006
【図５】
2016048870.tif 000007
【図６】
2016048870.tif 000008
【図７】
2016048870.tif 000009